(57)【特許請求の範囲】
【請求項１】
裏面に、粘着パッドを備えた基板と、
前記基板を貫通して取り付けられてなる回転軸ピンと、
前記回転軸ピンに枢着され、前記基板の表面に対して平行に回動自在に設けられてなる回動部材と、
前記回動部材の裏面に形成されてなる軸受部材嵌め込み溝と、
前記軸受部材嵌め込み溝に嵌め込まれた軸受部材と、
前記軸受部材に形成されてなる軸孔に挿通された軸によって、前記回動部材に取り付けられてなるリングと、を備え、
前記軸孔の断面形状は、全体が曲線からなり、辺が僅かに内側へ湾曲してなる隅丸の方形に形成されてなり、
前記軸の断面形状が楕円形である
ことを特徴とする携帯端末用保持具。
【請求項２】
前記軸孔は、前記軸受部材の表面側に解放部を有する軸溝と、前記解放部と連続する前記軸受部材嵌め込み溝の内面部分とから形成されてなり、
前記解放部に沿った前記軸受部材嵌め込み溝の内面部分が僅かに凹んで凹溝に形成されてなることによって、前記凹溝が、断面が方形に形成された前記軸孔の一の隅を構成し、
前記一の隅を構成する素材が、前記軸受部材を構成する素材よりも硬い素材からなる
ことを特徴とする請求項１に記載の携帯端末用保持具。
【請求項３】
前記リングは、
前記軸受部材を中心に、前記基板の表面から起き上がる方向に対して任意の角度に引き起こし動作が可能である
ことを特徴とする請求項１もしくは請求項２に記載の携帯端末用保持具。
【発明の詳細な説明】
【技術分野】
【０００１】
本発明は、スマートフォン等の携帯端末を使用する際の落下防止に有効な携帯端末用保持具に関する。
【背景技術】
【０００２】
携帯端末は手に持って画面を見ながら操作することができる情報端末である。しかし、手に持った携帯端末が不意に落下して破損する事故が発生するため、携帯端末に取り付けたリング状の保持部を指で保持しながら操作できる、操作中の落下防止のための保持具が考案されていた（特許文献１及び特許文献２参照）。
【先行技術文献】
【特許文献】
【０００３】
【特許文献１】特開２０１１−３５８１０号公報
【特許文献２】特表２０１４−５１２７０９号公報
【発明の概要】
【発明が解決しようとする課題】
【０００４】
リング状の保持部は指をリングに通すだけで容易に携帯端末を保持できる。しかし、携帯端末は、使用しない時は衣服のポケット等に収納して持ち歩くため、携帯端末の不使用時にはリング状の保持部は収納の邪魔にならないように折り畳まれた状態とすることが好ましい。
【０００５】
一方で、携帯端末の使用時には折り畳まれた状態のリング状の保持部を素早く引き起こすことができなければならない。素早い引き起こし動作ができなければ携帯端末の操作性に支障をもたらすことにもなり、また、引き起こし動作に手間取ったために携帯端末を落下させる恐れもあるからである。
【０００６】
特許文献２に記載されたリング状の保持部は、多角面形状の凹溝部とこれと同一の多角面を持つリング及びスリーブを備える。しかし、凹溝部と、リングの一部及びスリーブがいずれも同一の多角面であることで、面と面とが接し合うことによりリングを特定の位置に固定した際の安定性は高いものの、リングが携帯端末の背面に沿って折り畳まれた状態から引き起こすためには強い力が必要であるという問題があった。
【課題を解決するための手段】
【０００７】
そこで、上記課題を解決するための手段として本発明に係る携帯端末用保持具は、裏面に、粘着パッドを備えた基板と、前記基板を貫通して取り付けられてなる回転軸ピンと、前記回転軸ピンに枢着され、前記基板の表面に対して平行に回動自在に設けられてなる回動部材と、前記回動部材の裏面に形成されてなる軸受部材嵌め込み溝と、前記軸受部材嵌め込み溝に嵌め込まれた軸受部材と、前記軸受部材に形成されてなる軸孔に挿通された軸によって、前記回動部材に取り付けられてなるリングとを備える。さらに、前記軸孔の断面形状は、全体が曲線からなり、辺が僅かに内側へ湾曲してなる隅丸の方形に形成されてなり、前記軸の断面形状が楕円形であることを特徴とする。
【０００８】
また、前記軸孔は、前記軸受部材の表面側に解放部を有する軸溝と、前記解放部と連続する前記軸受部材嵌め込み溝の内面部分とから形成されてなり、前記解放部に沿った前記軸受部材嵌め込み溝の内面部分が僅かに凹んで凹溝に形成されてなることによって、前記凹溝が、断面が方形に形成された前記軸孔の一の隅を構成し、前記一の隅を構成する素材が、前記軸受部材を構成する素材よりも硬い素材からなることとしても良い。
【０００９】
また、前記リングは、前記軸受部材を中心に、前記基板の表面から起き上がる方向に対して任意の角度に引き起こし動作が可能であることとしても良い。
【００１０】
このようにしてなる前記携帯端末用保持具は、携帯端末の背面の略中央部に、前記粘着パッドにより着脱可能に付着して使用するものである。携帯端末の使用開始時に前記リングを引き起こし、該リングに、例えば人差し指を挿通して掌で携帯端末を保持することにより、携帯端末の使用中の落下防止に役立つものである。
【００１１】
前記基板は、インジェクション樹脂と、前以ってデザインが印刷された樹脂フィルムとを材料にしてＩＭＬ製法と呼ばれるインサート成形で成形されることが好ましい。前記基板の中央部に前記回動部材を枢着するための前記回転軸ピンを挿通する貫通孔が設けられ、表面側には前記回動部材が前記貫通孔に挿通される前記回転軸ピンにより枢着され、且つ、裏面側には前記粘着パッドが付着されるための台座が設けられてなる。
【００１２】
前記回転軸ピンは、頭部と足部からなるリベット形状を有したもので、前記回動部材と前記基板を貫通して取り付けられてなる。前記基板の裏面部分に前記回転軸ピンの足部の先端部分がカシメ加工により前記回動部材の抜け落ちを防止し、前記基板に対して前記回動部材が滑らかに回動するように軸着されてなる。
【００１３】
前記回動部材は、鉄やアルミニウム合金等の金属素材からなることが好ましく、該回動部材を枢着する前記回転軸ピンが軸通される貫通孔と、該回動部材の裏面側に前記リングの前記軸が挿通される前記軸受部材を嵌め込むための前記軸受部材嵌め込み溝とがそれぞれ形成されてなる。また、該回動部材の前記軸受部材嵌め込み溝の内面部分には僅かに凹んだ凹溝に形成されてなることが好ましい。
【００１４】
前記軸受部材は、前記回動部材の材質より柔らかい材質の熱可塑性樹脂から成形されることが好ましい。このような素材であれば、前記軸の回転に合わせて前記軸溝の形状を変形させることができ、該軸の回転運動を妨げないからである。該軸受部材の表面側に前記解放部を有する前記軸溝が形成されてなり、前記回動部材の前記軸受部材嵌め込み溝に前記軸受部材を嵌め込んで、該軸溝の前記解放部と、該解放部と連続する前記回動部材の前記軸受部材嵌め込み溝の内面部分に有する前記凹溝とを合わせることにより前記軸孔を形成しても良い。
【００１５】
前記軸孔の断面形状は、全体が曲線からなり、辺が僅かに内側へ湾曲してなる隅丸の方形に形成されてなるので、該軸孔に挿通された断面形状が楕円形の前記軸を滑らかに回転させることができる。さらに、前記隅丸の方形に形成された前記軸孔の隅と、前記リングの前記軸の長軸端とが一致する位置で前記リングを安定して挟持するように固定させることができる。
【００１６】
前記基板の表面に沿って平行な軸をＹ軸とし、前記基板の表面に対して垂直な軸をＸ軸として、この二つの軸の間で前記リングが折り畳まれ、または、引き起こされる動作を該リングの動作の基本とすることができる。
【００１７】
前記軸孔は、断面を形成する方形の対角線が前記Ｙ軸及びＸ軸の方向と一致するように形成されてなることが好ましい。また、前記リングの前記軸は、断面を形成する楕円の長軸が、該リングが前記基板の表面に沿って折り畳まれた状態で前記Ｘ軸の方向と一致するように形成されてなることが好ましい。
【００１８】
このような構成とすれば、前記軸孔を構成する前記軸受部材の素材よりも、前記回動部材の材質の方が硬い素材とからなり、該軸孔が前記軸溝及び前記一の隅を構成する前記凹溝とからなる場合に、前記リングの前記軸の前記長軸端が前記軸孔の前記一の隅と一致するＸ軸方向を向いた時がより強く該リングの該軸を保持することができる。
【００１９】
すなわち、折り畳まれた状態の前記リングを引き起こされた状態の該リングよりもぐらつきを抑えて保持することができる。そのため、ポケット等へ携帯端末を収める際に前記リングがポケットの端等に引っ掛かることを防止できる。
【００２０】
また、携帯端末の使用開始に伴って前記リングをＹ軸からＸ軸に引き起こし動作を行う際、断面が楕円の該リングの前記軸の前記長軸端と前記軸孔の隅の内面を形成する曲面とが線接触で接していることで、携帯端末の背面と平行に折り畳まれた状態の０度であるＹ軸の位置から、指先を該リングの先端に添え当てて軽く該リングを持ち上げることができる。続いて、辺が僅かに内側へ湾曲してなることによる押圧により該リングが約４５度に引き起こされる手前で、該リングに指が入る段階から少しずつ重くなる。さらに続けていくと、該リングが４５度を超えた辺りから９０度の完全に引き起こされるＸ軸の手前の位置に掛けて軽くなるという、僅かではあるが軽重による前記リングの変位を感じることができる。
【００２１】
また、携帯端末の使用が終わり前記リングを折り畳む際も同様で、前記リングをＸ軸からＹ軸に折り畳む際、該リングが引き起こされた９０度の段階より指で軽く押し下げる。続いて、辺が僅かに内側へ湾曲してなることによる押圧により該リングが約４５度に折り畳まれる手前で少しずつ重くなる。さらに続けていくと、該リングが４５度を超えた辺りから０度の完全に折り畳まれるＹ軸の手前の位置に掛けて軽くなるという、僅かな軽重による前記リングの変位が感じられる。
【００２２】
なお、この前記リングの引き起こし動作及び折り畳み動作は、Ｙ軸とＸ軸の間で０度から９０度の往復について述べたが、０度から９０度、さらに９０度を超えて１８０度であっても、折り畳まれた位置は両方ともＹ軸になるだけであるので、０度の場合と同一である。
【００２３】
また、前記軸孔の四つの辺が僅かに内側へ湾曲してなることで、前記長軸端が前記隅丸部分と一致する位置のＹ軸からＸ軸の間の任意の角度であっても、楕円形断面の前記軸の前記長軸端が前記軸孔内面の各辺からの十分な押圧力を得ることができるため、該リングが９０度以外にも任意の角度に引き起こし動作が可能となる。
【００２４】
前記リングは、アルミニウム合金等から形成されることが好ましく、前記軸受部材に挿通される前記軸を形成する直線部分の断面形状は楕円形をしてなる。また、該リングは、大人の人差し指が挿入できる程度の内径で形成されてなり、その断面形状は横長で指を傷つけないように角が取れた方形をしてなることが好ましい。
【００２５】
さらに、前記リングの前記軸と前記軸孔の接触形態は、特許文献２に記載されたような多角面同士の面接触ではなく、前記軸孔の断面形状の全体が曲線からなる線と、前記軸の断面形状が楕円形からなる線との曲線同士の線接触のために、前記リングの角度を変更する引き起こし動作や折り畳み動作を軽やかで滑らかに行うことができる。
【発明の効果】
【００２６】
本発明によれば、隅丸の方形に形成された前記軸孔の隅と前記リングの軸の長軸端とが一致する位置で前記リングを安定して固定することができる。
【００２７】
また、前記軸孔の辺が僅かに内側へ湾曲してなることで、前記リングを前記軸孔の隅と一致する位置以外の角度とした場合にも、該リングを固定するための該軸孔の内面からの十分な押圧力を得ることができるため、該リングを任意の角度で固定することができる。
【００２８】
また、前記軸孔の断面形状の全体が曲線からなるため、前記リングの角度を変更するための引き起こし動作及び折り畳み動作を滑らかに行うことができる。
【００２９】
また、前記リングの前記軸と前記軸孔の内面とが面ではなく線で接しているため、折り畳まれた状態の前記リングを引き起こす際に、該リングに指先または爪を引っ掛けて軽い力を掛けるだけで容易に該リングを僅かに引き起こすことができる。同時に、僅かに引き起こされた該リングと前記基板との間に指を差し入れて該リングが該基板に対して垂直となるまで引き起こす動作の手掛かりとすることができる。
【００３０】
このため、ポケットから携帯端末を取り出しつつ、前記リングを素早く引き起こし、引き起こされた該リングに指を通して携帯端末の保持を完了するまでの動作を軽い力をもってごく短時間に行うことができる。
【００３１】
また、前記軸孔の一の隅を構成する素材を前記軸受部材よりも硬い素材から形成することで、該一の隅と前記リングの前記軸の長軸端とが一致する位置に該リングを折り畳む場合に、他の隅と一致させる場合よりも該リングの固定状態を安定させることができる。つまり、前記軸孔の一の隅が前記軸受部材よりも硬い金属素材であることにより、前記一の隅が収縮することがないため、該リングの該軸をより強く保持することができる。
【図面の簡単な説明】
【００３２】
【図１】本発明の携帯端末用保持具１のリング９を引き起こした状態の正面図（ａ）、平面図（ｂ）、左側面図（ｃ）、及び背面図（ｄ）である。
【図２】図１の正面図（ａ）のＡ−Ａ断面図である。
【図３】図２のＢ部の部分拡大図である。
【図４】本発明の携帯端末用保持具１のリング９を折り畳んだ状態の正面図（ａ）、平面図（ｂ）、左側面図（ｃ）、及び背面図（ｄ）である。
【図５】図４の正面図（ａ）のＣ−Ｃ断面図である。
【図６】図５のＤ部の部分拡大図である。
【図７】回動部材３の正面図（ａ）、平面図（ｂ）、左側面図（ｃ）、及び背面図（ｄ）である。
【図８】図７の正面図（ａ）のＥ−Ｅ断面図である。
【図９】軸受部材１０の正面図（ａ）、平面図（ｂ）、右側面図（ｃ）、左側面図（ｄ）、及び背面図（ｅ）である。
【図１０】リング９の正面図（ａ）、平面図（ｂ）、左側面図（ｃ）、及び下面図（ｄ）である。
【図１１】図１０の正面図（ａ）のＦ−Ｆ断面図である。
【図１２】本発明の携帯端末用保持具１の組立構成図である。
【図１３】本発明の携帯端末用保持具１を携帯端末Ｐに取り付けて、リング９の折り畳みから引き起こしまでの動作を示す図であり、リング９が折り畳まれた状態で人差し指の指先をリング９の先端に添え当てた状態の斜視図（ａ）、リング９が約４５度に引き起こされた状態の斜視図（ｂ）、リング９が約９０度に引き起こされた状態の斜視図（ｃ）である。
【図１４】本発明の携帯端末用保持具１を携帯端末Ｐに取り付けて使用状態を示す図であり、リング９に人差し指を挿通させ、掌で携帯端末Ｐを支えて、携帯端末Ｐが使用できる状態の斜視図である。
【図１５】本発明の携帯端末用保持具１を携帯端末Ｐに取り付けて他の使用形態を示す図であり、携帯端末Ｐの画面を見るために、リング９を引き起こして携帯端末Ｐを台Ｓの上に立て掛けた状態の側面図である。
【発明を実施するための形態】
【００３３】
以下、本発明に係る実施の形態を、図１〜図１５を参照しながら詳しく説明する。
【００３４】
本発明の携帯端末用保持具１は、図１〜図３、及び図４〜図６に示すように、裏面側５７に、粘着パッド５０を備えた基板５と、基板５を貫通して取り付けられてなる回転軸ピン７と、回転軸ピン７に枢着され、基板５の表面側５５に対して平行に回動自在に設けられてなる回動部材３と、回動部材３の裏面側３９に形成されてなる軸受部材嵌め込み溝３１と、軸受部材嵌め込み溝３１に嵌め込まれた軸受部材１０と、軸受部材１０に形成されてなる軸孔１１に挿通された軸９０によって、回動部材３に取り付けられてなるリング９とを備えてなる。
【００３５】
回動部材３は、アルミニウム合金からなり、図７及び図８に示すように、回動部材３を枢着する回転軸ピン７が軸通される貫通孔３７と、回動部材３の裏面側３９にリング９の軸９０が挿通される軸受部材１０を嵌め込むための軸受部材嵌め込み溝３１とがそれぞれ形成されてなり、回動部材３の軸受部材嵌め込み溝３１の内面部分には僅かに凹んだ凹溝３５が形成されてなる。
【００３６】
軸受部材１０は、熱可塑性ポリウレタン樹脂からなり、直方体を有したもので、図９に示すように、軸受部材１０の表面側１７に解放部１３を有する軸溝１５が形成されてなる。図３及び図６に示すように、回動部材３の軸受部材嵌め込み溝３１に軸受部材１０を嵌め込んで、軸溝１５の解放部１３と、解放部１３と連続する回動部材３の軸受部材嵌め込み溝３１の内面部分３３に有する凹溝３５とを合わせることにより軸孔１１が形成されてなる。
【００３７】
また、解放部１３に沿った軸受部材嵌め込み溝３１の内面部分３３が僅かに凹んで凹溝３５に形成されてなることによって、凹溝３５が、断面が方形に形成された軸孔１１の一の隅３５ａを構成する。一の隅３５ａを構成する回動部材３の素材は軸受部材１０を構成する素材よりも硬いアルミニウム合金で形成されてなる。
【００３８】
また、軸孔１１の長さ軸に対して垂直な面の断面形状は、全体が曲線からなり、四つの辺１５ａが僅かに内側へ湾曲してなる隅丸の方形に形成されてなり、隅丸の方形の対角となる両隅１９，１９に、断面形状が楕円形の軸９０が挿通してなる。これにより、隅丸の方形に形成された軸孔の隅１９と、リング９の軸９０の長軸端９３とが一致する位置でリング９を安定して挟持するように固定させることができる。
【００３９】
図１、図３、図４及び図６に示すように、基板５の表面に沿って平行な軸をＹ軸とし、基板５の表面に対して垂直な軸をＸ軸として、この二つの軸の間でリング９が折り畳まれ、または、引き起こされる動作をリング９の動作の基本とすることができる。
【００４０】
軸孔１１は、断面を形成する方形の対角線がＹ軸及びＸ軸の方向と一致するように形成されてなる。また、図６に示すように、リング９の軸９０は、長さ軸に対して垂直な面の断面形状が楕円に形成されており、軸９０の長軸端９３が、リング９が基板５の表面に沿って折り畳まれた状態でＸ軸の方向と一致するように形成されてなる。このような構成とすれば、軸孔１１を構成する軸受部材１０の素材よりも、一の隅３５ａが硬いアルミニウム合金で形成されてなるので、リング９の軸９０の長軸端９３が軸孔１１の一の隅３５ａと一致するＸ軸方向に向いた時により強くリング９の軸９０を保持することができる。そのために、折り畳まれた状態のリング９のぐらつきを抑えることができる。
【００４１】
基板５は、インジェクション樹脂のポリカーボネイトと、前以ってデザインが印刷されたＰＥＴフィルムとを材料にしてＩＭＬ製法と呼ばれるインサート成形で成形される。図１〜図６に示すように、中央に回動部材３を枢着するための回転軸ピン７を挿通する貫通孔５１が設けられてなる。表面側５５には回動部材３が貫通孔５１に挿通される回転軸ピン７により枢着されてなる。裏面側５７は、粘着パッド５０が付着されるための台座である。
【００４２】
また、基板５の裏面側５７は、粘着パッド５０が付着されるために、粘着パッド５０より僅かに大きい凹部５９が形成されてなる。
【００４３】
回転軸ピン７は、表面にメッキ処理等が施された鉄からなり、図１〜図６に示すように、頭部７１と足部７３からなるリベット形状を有したものである。回転軸ピン７は、回動部材３と基板５を貫通して取り付けられてなる。基板５の裏面部分に回転軸ピン７の足部７３の先端部分がカシメ加工により折り曲げられて回動部材３の抜け落ちを防止し、基板５に対して回動部材３が滑らかに回動するように軸着されてなる。
【００４４】
リング９は、アルミニウム合金からなり、図１０及び図１１に示すように、軸９０の直線部分以外は円弧状に形成されてなり、大人の人差し指が挿入できる。その断面形状９１は横長で指を傷つけないように四隅の角が取れた方形をしてなり、軸受部材１０に挿通する軸９０に当たる部分の断面形状９２は楕円形をしてなる。
【００４５】
軸孔１１の四つの辺１５ａが僅かに内側へ湾曲してなることで、長軸端９３が隅１９と一致する位置のＹ軸からＸ軸の間の任意の角度であっても、楕円形断面の軸９０の長軸端９３が軸孔１１の内面の各辺１５ａからの十分な押圧力を得ることができるため、リング９は、軸受部材１０を中心に、基板５の表面から起き上がる方向に対して任意の角度に引き起こし動作が可能である。
【００４６】
粘着パッド５０は、シリコーンゲルからなり、図１〜図６に示すように、中央に回動部材３を基板５に枢着する回転軸ピン７をカシメ加工するための貫通孔５３が設けられてなる。また、粘着パッド５０は、板厚が凹部５９の深さより僅かに厚く形成され、基板５の凹部５９よりも少し小さく形成されてなるので、携帯端末用保持具１を携帯端末Ｐに貼り付けた際に粘着パッド５０を目立たなくできると共に粘着力を最大限発揮させることができる。
【００４７】
図１２に示すように、軸受部材１０の軸溝１５にリング９の軸９０を装着し、リング９を装着した軸受部材１０を回動部材３の軸受部材嵌め込み溝３１に軸受部材１０の解放部１３と回動部材３の凹溝３５とが合う方向に嵌め込む。その後、基板５の表面側５５に回動部材３を回転軸ピン７のカシメ加工で回動自在に軸着し、基板５の裏面側５７の凹部５９に粘着パッド５０を付着して、携帯端末用保持具１が製作される。
【００４８】
このようにしてなる携帯端末用保持具１は、図１３に示すように、携帯端末Ｐの背面の中央部に、携帯端末用保持具１の粘着パッド５０により付着して使用するもので、携帯端末Ｐの使用開始時にリング９を指先で軽く速やかに引き起こすことができる。
【００４９】
このように、携帯端末Ｐの使用開始に伴ってリング９をＹ軸からＸ軸に引き起こし動作を行う際は、図１３に示すように、携帯端末Ｐの背面と平行に折り畳まれた状態の０度であるＹ軸の位置で、（ａ）指先をリング９の先端に添え当てて軽く該リングを持ち上げる。（ｂ）続いて、辺１５ａが僅かに内側へ湾曲してなることによる押圧によりリング９が約４５度に引き起こされる手前で、該リングに指が入る段階から少しずつ重くなる。（ｃ）さらに続けていくと、リング９が４５度を超えた辺りから９０度の完全に引き起こされるＸ軸の手前の位置に掛けて軽くなるという、僅かではあるが軽重によるリング９の変位を感じることができる。
【００５０】
一方、携帯端末Ｐの使用終了に伴ってリング９をＸ軸からＹ軸に折り畳み動作を行う際は、図１３の（ａ）⇒（ｂ）⇒（ｃ）の逆の（ｃ）⇒（ｂ）⇒（ａ）の動作となる。なお、このリング９の引き起こし動作及び折り畳み動作は、Ｙ軸とＸ軸の間で０度から９０度の往復について述べたが、０度から９０度、さらに９０度を超えて１８０度であっても、折り畳まれた状態は両方ともＹ軸の位置になるだけであるので、０度の場合と同一である。
【００５１】
引き起こしたリング９には、例えば図１４に示すように、人差し指を挿通して掌で携帯端末Ｐを保持することができ、携帯端末Ｐの使用中の落下防止に役立つものである。なお、回動部材３が回動自在であるために、どの方向からの保持も可能で、しかもリング９に他の指を挿通しても良く、使い勝手が良い保持具である。
【００５２】
つまり、リング９の軸９０と軸孔１１の内面とが、多角面同士の面接触ではなく、軸孔１１の隅１９と軸９０の長軸端９３との曲率が僅かに異なってなることによる線接触で接しているために、軸孔に対して軸９０が滑らかに回転できることになり、折り畳まれた状態のリング９を引き起こす際、リング９に指先または爪を引っ掛けて軽い力を掛けるだけで容易にリング９を僅かに引き起こすことができる。
【００５３】
同時に、僅かに引き起こされたリング９と基板５との間に指を差し入れてリング９が基板５に対して垂直となるまで滑らかに引き起こす動作の手掛かりとすることができる。このことにより、ポケット等から携帯端末Ｐを取り出しつつ、リング９を素早く、且つ、軽く引き起こして、リング９に指を挿通して携帯端末Ｐを保持することにより、短時間で携帯端末Ｐを保持して使用が開始できる。
【００５４】
他の使用形態として、図１５に示すように、リング９を引き起こして、机等の台Ｓの上に携帯端末Ｐを立て掛けることにより、携帯端末Ｐを手に持たずに椅子に座って姿勢よく携帯端末Ｐの画面を見ることができる。なお、携帯端末Ｐを立て掛ける方向は、図１５では携帯端末Ｐの画面を横方向に立て掛けているが、縦方向にすることもできる。
【００５５】
このように、本発明の携帯端末用保持具１は、シンプルな構造となっているので、廉価に提供できる。
【符号の説明】
【００５６】
１    携帯端末用保持具
３    回動部材
５    基板
７    回転軸ピン
９    リング
１０    軸受部材
１１    軸孔
１３    解放部
１５    軸溝
１５ａ  辺
１７    表面側
１９    隅
３１    軸受部材嵌め込み溝
３３    内面部分
３５    凹溝
３５ａ  一の隅
３７    貫通孔
３９    裏面側
５０    粘着パッド
５１    貫通孔
５３    貫通孔
５５    表面側
５７    裏面側
５９    凹部
７１    頭部
７３    足部
９０    軸
９１    断面形状
９２    断面形状
９３    長軸端
Ｐ    携帯端末
Ｓ    台
【図１】
0006434455.tif 000002
【図２】
0006434455.tif 000003
【図３】
0006434455.tif 000004
【図４】
0006434455.tif 000005
【図５】
0006434455.tif 000006
【図６】
0006434455.tif 000007
【図７】
0006434455.tif 000008
【図８】
0006434455.tif 000009
【図９】
0006434455.tif 000010
【図１０】
0006434455.tif 000011
【図１１】
0006434455.tif 000012
【図１２】
0006434455.tif 000013
【図１３】
0006434455.tif 000014
【図１４】
0006434455.tif 000015
【図１５】
0006434455.tif 000016